(57)【要約】  注射器のための推進装置は、注入装置の駆動組立品及び薬品カートリッジに連結されように適用される。推進装置は、一方向制止要素によって連結要素に連結された押し出し要素を有する。連結要素の後端は、押し出しロッドに連結される。押し出しロッドの前端は、排出要素及びバネを有する。ネジ付き環は、押し出しロッドの周りに設けられ、注入ロッドは、押し出しロッドに設けられる。連結要素は、薬品カートリッジの後方開口に挿入される。排出要素の係合フック薬品カートリッジの内周面で押圧され得る。バネは、排出要素を前方に移動させて、薬品カートリッジのピストンに接触するように押し出し要素を押させる。これにより、薬品カートリッジは、注入装置を組み込んだ後、手動で空気を排出することなく、すぐに使用され得る。注入装置は、使い勝手がよい。【選択図】図３
2021508537.tif 000002
【特許請求の範囲】
【請求項１】
注射器のネジ付きの駆動機構に配設され、薬品カートリッジに連結された、注射器のための推進装置であって、
ネジ付き押し出し部材であって、上記ネジ付き押し出し部材の外表面に形成されたネジ及び上記ネジ付き押し出し部材の外表面に形成された少なくとも１つの溝を持つ上記ネジ付き押し出し部材と、上記ネジ付き押し出し部材の前端に設けられた押し出し板とを有する押し出し要素と、
上記押し出し要素の周囲に設けられた一方向制止要素であって、
環状体であって、
上記環状体に形成され、上記ネジ付き押し出し部材が進入して延びる内側孔、及び、
上記内側孔の内周面に形成され、上記ネジ付き押し出し部材の上記少なくとも１つの溝に係合して上記ネジ付き押し出し部材を上記一方向制止要素に対して軸方向に進退させる少なくとも１つのリブを持つ上記環状体と、
上記環状体の外表面に形成された少なくとも１つの一方向ラチェット弾性タブとを有する上記一方向制止要素と、
上記押し出し要素及び上記一方向制止要素の周りに設けられた連結要素であって、
上記押し出し要素の上記押し出し板が外側に配置された前端と、
連結ベースであって、
上記連結ベースに形成され、前方開口を有し、上記一方向制止要素が設けられ、上記少なくとも１つの一方向ラチェット弾性タブが係合する一方向ラチェット歯付き凹部、
上記一方向ラチェット歯付き凹部の後端に配置された連結板、及び、
上記連結板に形成され、上記押し出し要素の上記押し出し部材がねじ込まれ、移動間隙を形成して上記押し出し要素を上記移動間隙の範囲で軸方向に進退可能とさせるように上記押し出し要素の上記ネジ付き押し出し部材のピッチよりも小さな歯幅を有するネジ付き孔を持つ上記連結ベースと、
上記連結ベースの後端に形成された少なくとも１つの弾性フックとを有する上記連結要素と、
上記連結要素の後端に連結された押し出しロッドであって、
ネジ部分であって、上記ネジ部分の外表面に形成された押し出しネジを有し、上記ネジ付き押し出し部材の上記ネジと同じ巻き方を有する上記ネジ部分と、
上記ネジ部分の前端に形成されており、前方開口が設けられた前部チャンバ、後方開口が設けられた後部チャンバ、及び、上記前部チャンバと上記後部チャンバとの間に形成された接触板を有する前側部分と、
上記前側部分の外表面に半径方向に形成されて、上記前部チャンバと連通する少なくとも１つの孔であって、上記連結要素の上記少なくとも１つの弾性フックが上記前側部分の周りに設けられ且つ上記少なくとも１つの孔に対応する位置に配置される上記少なくとも１つの孔とを有する上記押し出しロッドと、
上記押し出しロッドの上記前部チャンバに設けられた排出要素であって、
ベース板と、
上記ベース板の前面に形成され、上記少なくとも１つの孔に係合する少なくとも１つの係合フックと、
上記ベース板の前面に形成され、上記ネジ付き押し出し部材の後端に対応する位置に位置しており、上記ネジ付き押し出し部材の上記後端から離れた前端を有する排出スタブとを有する上記排出要素と、
上記押し出しロッドの上記前部チャンバに圧縮された状態で設けられ、上記排出要素の上記ベース板と上記押し出しロッドの上記接触板とにそれぞれ接触する２つの端部を有するバネと、
上記押し出しロッドに螺合し、上記押し出しロッドの上記ネジ部分がねじ込まれるネジ付き孔を有するネジ付き環と、
上記押し出しロッドの上記後部チャンバに設けられた注入ロッドとを備える推進装置。
【請求項２】
請求項１に記載の推進装置において、
上記連結要素は、等しい角度間隔を有する２つの弾性フックを含み、
上記押し出しロッドは、上記前側部分に形成され、上記２つの弾性フックと位置が対応する２つの孔を含み、
上記排出要素は、上記２つの孔にそれぞれ係合する２つの係合フックを含む推進装置。
【請求項３】
請求項２に記載の推進装置において、
上記連結要素は、上記連結ベースの後面に形成された２つの係合部を有し、
上記２つの係合部及び上記２つの弾性フックは、交互に配列され、
上記係合部のそれぞれは、上記係合部に形成された係合孔を有し、
上記押し出しロッドの上記前側部分は、上記連結要素の上記２つの係合部の上記係合孔にそれぞれ係合する２つの係合ブロックを有する推進装置。
【請求項４】
請求項３に記載の推進装置において、
上記ネジ付き押し出し部材は、上記ネジ付き押し出し部材の外表面に形成され、径方向において互いに反対に配置された２つの溝を含み、
上記一方向制止要素の上記環状体は、上記内側孔の上記内周面に形成され、それぞれ上記２つの溝に係合する２つのリブを含む推進装置。
【請求項５】
請求項１乃至４の何れか１つに記載の推進装置において、
上記押し出しロッドは、上記ネジ部分の後端に形成された後側部分であって、上記ネジ部分に隣り合う位置において上記後側部分に形成された少なくとも１つの弾性ブロックと上記少なくとも１つの弾性ブロックの周りに形成された貫通孔とを有する後側部分を有し、
上記少なくとも１つの弾性ブロックは、上記後側部分に連結された後端と、自由な前端とを有する推進装置。
【発明の詳細な説明】
【技術分野】
【０００１】
本発明は、注射器に関し、より詳しくは、注射器のための推進装置に関する。この推進装置が内部に薬が入った薬品カートリッジに連結される場合、回転駆動機構の押し出しロッドは、押し出しロッドが薬品カートリッジ内のピストンに接触する開始位置へ自動的に移動することができる。
【背景技術】
【０００２】
安全のため、注入装置は、予め決められた回数のためにだけ使用できる。従来の注入装置は、２種類あり、一方の種類は計量型であり、他方の種類は、時間計測型である。従来の計量型の注入装置では、注入装置が薬品カートリッジに連結された後、注入装置の後端に設けられた押し出しロッドが押される。その結果、薬品カートリッジ内のピストンは、注入装置の駆動組立品による伝達を介して、押圧され所定距離だけ移動する。従来の注入装置の作動を省力化するために、従来の注入装置の駆動組立品は、大きなネジの移動距離と小さなネジの移動距離との合成を有し、これにより、ユーザが注入装置の押し出しロッドを押すことによって供給される直進力を回転力に変換する。大きなネジの移動距離の回転力が小さなネジの移動距離によって供給される、薬を注入するための押し出し力に変換されるため、一定量の薬品が注入されることができ、注入装置は、その作動において省力化される。
【発明の概要】
【発明が解決しようとする課題】
【０００３】
しかしながら、従来の注入装置の駆動組立品の押し出し装置が薬品カートリッジに連結された後、駆動組立品の押し出しロッドと薬品カートリッジのピストンとの間に隙間が形成される。そのため、薬を人体に注入する前に、駆動組立品の押し出しロッドは、押し出しロッドが薬品カートリッジのピストンに接触する位置まで移動され、上記隙間の空気を手動で排出する必要がある。その結果、薬品カートリッジに連結された注入装置によって薬が人体に注入される。手動で空気を排出する行為は、従来の注入装置の作動を不便にし、従来の注入装置は改良されなければならない。
【０００４】
本発明の主な目的は、空気を排出するためにユーザが駆動組立品を手動で回転させなければならないという不便さの問題を解決する、注射器のための推進装置を提供することである。
【課題を解決するための手段】
【０００５】
上記問題を解決するため、本発明は、注射器のネジ付き駆動機構に配置され、薬用カートリッジに連結された、注射器のための推進装置を提供する。上記推進装置は、
ネジ付き押し出し部材であって、上記ネジ付き押し出し部材の外表面に形成されたネジ及び上記ネジ付き押し出し部材の外表面に形成された少なくとも１つの溝を持つ上記ネジ付き押し出し部材と、上記ネジ付き押し出し部材の前端に設けられた押し出し板とを有する押し出し要素と、
上記押し出し要素の周囲に設けられた一方向制止要素であって、
環状体であって、
上記環状体に形成され、上記ネジ付き押し出し部材が進入して延びる内側孔、及び、
上記内側孔の内周面に形成され、上記ネジ付き押し出し部材の上記少なくとも１つの溝に係合して上記ネジ付き押し出し部材を上記一方向制止要素に対して軸方向に進退させる少なくとも１つのリブを持つ上記環状体と、
上記環状体の外表面に形成された少なくとも１つの一方向ラチェット弾性タブとを有する上記一方向制止要素と、
上記押し出し要素及び上記一方向制止要素の周りに設けられた連結要素であって、
上記押し出し要素の上記押し出し板が外側に配置された前端と、
連結ベースであって、
上記連結ベースに形成され、前方開口を有し、上記一方向制止要素が設けられ、上記少なくとも１つの一方向ラチェット弾性タブが係合する一方向ラチェット歯付き凹部、
上記一方向ラチェット歯付き凹部の後端に配置された連結板、及び、
上記連結板に形成され、上記押し出し要素の上記押し出し部材がねじ込まれ、移動間隙を形成して上記押し出し要素を上記移動間隙の範囲で軸方向に進退可能とさせるように上記押し出し要素の上記ネジ付き押し出し部材のピッチよりも小さな歯幅を有するネジ付き孔を持つ上記連結ベースと、
上記連結ベースの後端に形成された少なくとも１つの弾性フックとを有する上記連結要素と、
上記連結要素の後端に連結された押し出しロッドであって、
ネジ部分であって、上記ネジ部分の外表面に形成された押し出しネジを有し、上記ネジ付き押し出し部材の上記ネジと同じ巻き方を有する上記ネジ部分と、
上記ネジ部分の前端に形成されており、前方開口が設けられた前部チャンバ、後方開口が設けられた後部チャンバ、及び、上記前部チャンバと上記後部チャンバとの間に形成された接触板を有する前側部分と、
上記前側部分の外表面に半径方向に形成されて、上記前部チャンバと連通する少なくとも１つの孔であって、上記連結要素の上記少なくとも１つの弾性フックが上記前側部分の周りに設けられ且つ上記少なくとも１つの孔に対応する位置に配置される上記少なくとも１つの孔とを有する上記押し出しロッドと、
上記押し出しロッドの上記前部チャンバに設けられた排出要素であって、
ベース板と、
上記ベース板の前面に形成され、上記少なくとも１つの孔に係合する少なくとも１つの係合フックと、
上記ベース板の前面に形成され、上記ネジ付き押し出し部材の後端に対応する位置に位置しており、上記ネジ付き押し出し部材の上記後端から離れた前端を有する排出スタブ（stub）とを有する上記排出要素と、
上記押し出しロッドの上記前部チャンバに圧縮された状態で設けられ、上記排出要素の上記ベース板と上記押し出しロッドの上記接触板とにそれぞれ接触する２つの端部を有するバネと、
上記押し出しロッドに螺合し、上記押し出しロッドの上記ネジ部分がねじ込まれるネジ付き孔を有するネジ付き環と、
上記押し出しロッドの上記後部チャンバに設けられた注入ロッドとを備える。
【０００６】
上記連結要素は、等しい角度間隔を有する２つの弾性フックを含み、
上記押し出しロッドは、上記前側部分に形成され、上記２つの弾性フックと位置が対応する２つの孔を含み、
上記排出要素は、上記２つの孔にそれぞれ係合する２つの係合フックを含む。
【０００７】
上記連結要素は、上記連結ベースの後面に形成された２つの係合部を有し、
上記２つの係合部及び上記２つの弾性フックは、交互に配列され、
上記係合部のそれぞれは、上記係合部に形成された係合孔を有し、
上記押し出しロッドの上記前側部分は、上記連結要素の上記２つの係合部の上記係合孔にそれぞれ係合する２つの係合ブロックを有する。
【０００８】
上記ネジ付き押し出し部材は、上記ネジ付き押し出し部材の外表面に形成され、径方向において互いに反対に配置された２つの溝を含み、
上記一方向制止要素の上記環状体は、上記内側孔の上記内周面に形成され、それぞれ上記２つの溝に係合する２つのリブを含む。
【０００９】
上記押し出しロッドは、上記ネジ部分の後端に形成された後側部分であって、上記ネジ部分に隣り合う位置において上記後側部分に形成された少なくとも１つの弾性ブロックと上記少なくとも１つの弾性ブロックの周りに形成された貫通孔とを有する後側部分を有し、
上記少なくとも１つの弾性ブロックは、上記後側部分に連結された後端と、自由な前端とを有する。
【発明の効果】
【００１０】
本発明の効果は、以下の通りである。本発明に係る推進装置は、注入装置の駆動組立品に適用することができ、薬品カートリッジに連結され、連結要素は、押し出し要素に連結され、一方向制止要素は、薬品カートリッジの後方開口内に挿入される。後方開口の内周面は、連結要素の弾性フックを内側へ曲げるように押圧する。曲げられた弾性フックは、排出要素のロックを解除するように、排出要素の係合フックを内側に曲げるように押圧し、押し出しロッドの前側部分の孔から係合解除させる。圧縮されたバネに貯められたエネルギのため、排出要素は、前方へ移動するように排出され、押し出し部材を押圧して、押し出し部材を所定距離だけ前方へ移動させて薬品カートリッジ内のピストンに接触させる。薬品カートリッジ内の薬は、ピストンの前方への移動によって押圧され、薬品カートリッジの前端の空気は、針を介して完全に排出される。これにより、薬品カートリッジは、薬で完全に満たされ得る。注入装置が薬品カートリッジに結合された後、空気を手動ではなく、自動的に排出することができる。そのため、注入装置の使用時の利便性が改善され得る。
【００１１】
さらに、一方向制止要素の一方向ラチェット弾性タブと連結要素の一方向ラチェット歯付き凹部との係合によって、押し出し要素の後方への移動が回避され、推進装置の押し出し要素が薬品カートリッジのピストンに接触することが確保される。したがって、薬一服が正確に管理され得る。
【図面の簡単な説明】
【００１２】
【図１】図１は、本発明に係る注射器のための推進装置の好ましい実施形態の斜視図である。
【図２】図２は、図１の推進装置の斜視図である。
【図３】図３は、図１の推進装置の分解斜視図である。
【図４】図４は、図１の推進装置の断面の斜視図である。
【図５】図５は、図１〜３の推進装置の部品の分解斜視図である。
【図６】図６は、図５の推進装置の部品の別の分解斜視図である。
【図７】図７は、図１の推進装置の断面の側面図である。
【図８】図８は、図７の推進装置の拡大した断面の側面図である。
【図９】図９は、推進装置の図８のＡ−Ａ線に沿った断面の端面図である。
【図１０】図１０は、薬品カートリッジに連結された、図１の推進装置の斜視図である。
【図１１】図１１は、図１の推進装置の第１動作時の断面の側面図である。
【図１２】図１２は、図１の推進装置の第２動作時の断面の側面図である。
【図１３】図１３は、図１の推進装置の第３動作時の断面の側面図である。
【発明を実施するための形態】
【００１３】
本発明の他の目的、効果及び新規な特徴は、添付の図面と共に以下の詳細な説明からより明らかになるだろう。
【００１４】
図１〜３を参照し、好ましい実施形態に係る本発明の注射器のための推進装置１は、押し出し要素１０と、一方向制止要素２０と、連結要素３０と、押し出しロッド４０と、排出要素５０と、バネ６０と、ネジ付き環７０と、注入ロッドとを備えている。
【００１５】
図１〜３を参照し、押し出し要素１０は、ネジ付き押し出し部材１１と押し出し板１２とを有している。ネジ付き押し出し部材１１の２つの端部は、それぞれ前端１１１及び後端１１２と定義される。ネジ１１０は、ネジ付き押し出し部材１１の外表面に形成され、且つ、右ネジである。少なくとも１つの溝１１３は、ネジ付き押し出し部材１１の外表面に形成されている。好ましい実施形態では、ネジ付き押し出し部材１１は、上記外表面に形成され、且つ、互いに正反対の２つの溝１１３を含んでいてもよい。押し出し板１２は、ネジ付き押し出し部材１１の前端１１１に設けられる。押し出し板１２は、その中心に形成された貫通孔１２１を有している。ネジ付き押し出し部材１１の前端１１１は、貫通孔１２１内に延びている。図３を参照し、ネジ付き押し出し部材１１及び押し出し板１２は、個別の構成要素であり、互いに結合されている。あるいは、ネジ付き押し出し部材１１及び押し出し板１２は、単一部品（不図示）として形成されてもよい。
【００１６】
図３〜８を参照し、一方向制止要素２０は、押し出し要素１０の周りに設けられ、押し出し要素１０は、一方向制止要素２０の内部を軸方向に移動可能であり、且つ、一方向制止要素２０と共に回転することができる。一方向制止要素２０は、環状体２１と、少なくとも１つの一方向ラチェット弾性タブ２２とを有している。環状体２１は、内側孔２１０を有し、少なくとも１つのリブ２１１が、内側孔２１０の内周面に形成され、軸方向に延びている。好ましい実施形態では、内側孔２１０は、２つのリブ２１１を含んでいる。押し出し要素１０のネジ付き押し出し部材１１は、環状体２１の内側孔２１０内に設けられており、環状体２１のリブ２１１は、それぞれネジ付き押し出し部材１１の溝１１３に係合している。少なくとも１つの一方向ラチェット弾性タブ２２は、環状体２１の外表面に形成されている。好ましい実施形態では、一方向制止要素２０は、２つの一方向ラチェット弾性タブ２２を含んでおり、各一方向ラチェット弾性タブは、一方向ラチェット爪２２１を有している。
【００１７】
図３〜８を参照し、連結要素３０は、押し出し要素１０及び一方向制止要素２０の周りに設けられており、連結ベース３０と少なくとも１つの弾性フック３２とを有している。連結ベース３１は、連結ベース３１に形成され、前方開口を有する一方向ラチェット歯付き凹部３１１を有している。一方向ラチェット歯付き凹部３１１の後端には、連結板３１２が配置されている。一方向ラチェット歯付き凹部３１１は、複数の一方向に傾斜するラチェット歯を有している。連結板３１２には、ネジ付き孔３１３が形成されている。連結板３１２のネジ付き孔３１３は、押し出し要素１０のネジ付き押し出し部材１１のピッチよりも小さな歯幅を有している。押し出し要素１０の押し出し板１２は、連結要素３０の前端の外側に配置されている。図９を参照し、一方向制止要素２０は、一方向ラチェット歯付き凹部３１１の内部に配置され、一方向制止要素２０の少なくとも１つの一方向ラチェット弾性タブ２２は、一方向ラチェット歯付き凹部３１１に係合している。したがって、一方向制止要素２０は、連結要素３０内で一方向にのみ回転することができる。押し出し要素１０のネジ付き押し出し部材１１は、連結板３１２のネジ付き孔３１３に螺合する。連結ベース３２１のネジ付き孔３１３の歯幅は、押し出し要素１０のネジ付き押し出し部材１１のピッチよりも小さいので、それらの間に移動間隙が形成され、それによって押し出し要素１０がその移動間隙の範囲で軸方向において前後に移動することができる。少なくとも１つの弾性フック３２は、連結ベース３１の後端に形成され、屈曲可能で且つ弾力がある。好ましい実施形態では、連結要素３０は、等しい角度間隔を空けた２つの弾性フック３２を含んでいる。連結要素３０は、連結ベース３１の後面に形成された２つの係合部３３を有し、各係合部３３は、係合部３３に形成された係合孔３３１を有している。２つの係合部３３と２つの弾性フック３２は、交互に配列されている。
【００１８】
図３〜８を参照し、押し出しロッド４０は、連結要素３０の後端に連結されており、ネジ部分４１と前側部分４２と後側部分４３とを有している。押し出しネジは、ネジ部分４１の外表面に形成され、右ネジである。ネジ部分４１の押し出しネジと押し出し要素１０のネジ付き押し出し部材１１のネジとは、同じ巻き方を有している。前側部分４２は、ネジ部分４１の前端に形成されており、後側部分４３は、ネジ部分４１の後端に形成されている。押し出しロッド４０の前端には、前方への開口を有する前部チャンバ４４が形成されている。後部チャンバ４５は、前部チャンバ４４の後側において押し出しロッド４０に形成され、後方への開口が設けられている。接触板４６は、前部チャンバ４４と後部チャンバ４５との間に形成されている。
【００１９】
図３〜８を参照し、好ましい実施形態では、押し出しロッド４０の接触板４６は、前側部分４２の前端に隣り合う位置においてネジ部分４１の内部に配置されている。前部チャンバ４４は、押し出しロッド４０の前端からネジ部分４１の前端まで前側部分４２を貫通して延びている。少なくとも１つの孔４２１は、前側部分４２の外表面に半径方向に形成され、前部チャンバ４４と連通している。好ましい実施形態では、前側部分４２は、２つの孔４２１を有し、２つの係合ブロック４２２が前側部分４２の外表面に形成されている。押し出しロッド４０の前側部分４２の２つの係合ブロック４２２はそれぞれ、連結要素３０の２つの係合部３３における係合孔３３１と係合する。弾性フック３２はそれぞれ、押し出しロッド４０における孔４２１の位置と一致している。
【００２０】
図３〜８を参照し、好ましい実施形態では、後部チャンバ４５は、ネジ部分４１から押し出しロッド４０の後端まで後側部分４３を貫通して延びている。少なくとも１つの弾性ブロック４７は、ネジ部分４１と隣り合う位置において後側部分４３に形成され、少なくとも１つの貫通孔４８が少なくとも１つの弾性ブロック４７の周りに形成されている。各係合ブロック４７は、後側部分４３に連結された後端と、自由な前端とを有している。
【００２１】
図３〜８を参照し、排出要素５０は、押し出しロッド４０の前部チャンバ４４に設置されており、ベース板５１と、少なくとも１つの係合フック５２と、排出スタブ（stub）５３とを有している。少なくとも１つの係合フック５２及び排出スタブ５３は、ベース板４１の前面に形成され、前面から前方へ延びている。好ましい実施形態では、排出要素５０は、２つの係合フック５２を有している。初期位置では、係合フック５２はそれぞれ、押し出しロッド４０の孔４２１に係合し、それにより、排出要素５０は押し出しロッド４０にロックされる。排出スタブ５３は、ベース板５１の中央部に配置され、ネジ付き押し出し部材１１の後端１１２に対応している。初期位置では、排出スタブ５３の前端は、ネジ付き押し出し部材１１の後端１１２から間隔を空けて離れている。好ましい実施形態では、位置決めフランジ５４は、ベース板５１の後面に形成されている。
【００２２】
図３〜８を参照し、バネ６０は、押し出しロッド４０の前部チャンバ４４内に圧縮されて設けられており、排出要素５０のベース板５０と押し出しロッド４０の接触板４６にそれぞれ接触する２つの端部を有している。排出要素５０が押し出しロッド４０の前部チャンバ４４内にロックされている初期位置では、バネ６０は、圧縮され、エネルギを貯めている。好ましい実施形態では、バネ６０の前端は、排出要素５０のベース板５１の後面の位置決めフランジ５４の周りに配設されている。
【００２３】
図３，４，７，８を参照し、ネジ付き環７０は、押し出しロッド４０に螺合されており、押し出しロッド４０のネジ部分４１に螺合するネジ孔７１を有している。
【００２４】
図３，４，７，８を参照し、注入ロッド８０は、押し出しロッド４０の後部チャンバ４５内に設けられており、押し出しロッド４０の接触板４６と対向する前端を有している。
【００２５】
図１０〜１３を参照し、本発明に係る推進装置１は、使用され且つ、定量型の注入装置に連結されている場合、推進装置１は、注入装置の駆動組立品に設けられる。駆動組立品は、ネジ管と、ネジスリーブ管と、ネジ付き駆動ロッドとを有している。駆動組立品は、従来品であってもよく、ネジ管、ネジスリーブ管及びネジ付き駆動ロッドは、発明に係る部品ではない。そのため、駆動組立品の詳細な構造については省略する。駆動組立品のネジ管は、ネジスリーブ管の内部に設けられ、ネジ付き駆動ロッドは、ネジ管及びネジスリーブ管の内部に設けられており、大きなネジの移動距離によって駆動される移動機能を有している。推進装置１は、駆動組立品に設けられ、ネジ付き環７０は、ネジ管内に設けられ、固定位置において回転するように駆動され得る。ネジ付き管７０及び押し出しロッド４０は、小さなネジの移動距離の螺合構造を有しているので、大きなネジの移動距離によって供給される回転力は、小さなネジの移動距離によって供給される、薬を押し出す力に変換され得る。推進装置１の注入ロッド８０は、駆動組立品の後端に連結されたエンドキャップから突き出ている。
【００２６】
図１１〜１３を参照し、推進装置１は、動作中であって薬品カートリッジ２に連結されている場合、押し出し要素１０に連結された連結要素３０及び一方向制止要素２０は薬品カートリッジ２の後方開口内に挿入される。後方開口２Ｂの内周面は、連結要素３０の弾性フック３２を内側に曲げるように押圧し、曲げられた弾性フック３２は、排出要素５０の係合フック５２を内側に曲げるように押圧し、押し出しロッド４０の前側部分４２の孔４２１から係合を解除させる。これにより、排出要素５０のロックが解除される。圧縮されたバネ６０によって貯められたエネルギは、排出要素５０を排出するように弾性力を供給して排出要素５０を前方へ移動させ、排出された排出要素５０は押し出し要素１０を押圧して、前方へ移動させて薬品カートリッジ２内のピストン２Ａに接触させる。これにより、駆動組立品を手動で押圧して押し出し要素をピストンに接触させることによって空気を排出することなく、薬品カートリッジ２内の薬は、人体に直ちに注入され得る。
【００２７】
注入装置が薬の注入に適用される場合、注入装置の注入方法は、従来のものと同じである。ネジ付き環７０と押し出しロッド４０との間の小さなネジの移動距離のために、注入装置の駆動組立品は、省力化された大きなネジの移動距離によって供給される回転力を、小さなネジの移動距離によって供給される薬の押し出し力に転換することができる。押し出しロッドが連結要素３０及び押し出し要素１０を押圧して前方へ移動させ、さらに薬品カートリッジ２内の薬を人体に注入されるように押圧させるので、前方へ移動する押し出しロッド４０は、前方へ押し出す力を押し出し要素１０へ連結要素３０を介して供給し、押し出し要素のネジ付き押し出し部材１１の後端は、バネ６０によって排出要素５０に適用される弾性力が供給される。一方向制止要素２０の一方向ラチェット弾性タブ２２と連結要素３０内の一方向ラチェット歯付き凹部３１１との係合のため、押し出し要素１０は、後方への移動が回避され、推進装置の押し出し要素１０が薬品カートリッジ２内のピストン２Ａと接触することが確保される。これにより、薬一服が正確に管理され得る。
【００２８】
前述のように、本発明に係る推進装置は、注入装置の駆動組立品に適用されることができ、薬品カートリッジに連結され、押し出し要素に連結された連結要素及び一方向制止要素は、薬品カートリッジの後方開口に挿入される。後方開口の内周面は、連結要素の弾性フックを内側に曲げるように押圧する。曲げられた弾性フックは、排出要素のロックを解除するように、排出要素の係合フックを内側に曲げて押し出しロッドの前側部分の孔から係合解除させるように押圧する。圧縮されたバネによって貯められたエネルギのため、排出要素は、前方へ移動して、押し出し要素を押圧するように排出され、押し出し要素は、前方へ所定距離だけ移動して薬品カートリッジ内のピストンに接触する。薬品カートリッジ内の薬は、前方へ移動するピストンによって押され、薬品カートリッジの前端の空気は、針を介して完全に排出され得る。これにより、薬品カートリッジは、薬によって完全に満たされる。注入装置が薬品カートリッジに結合された後、空気は、手動ではなく自動的に排出され得る。そのため、注入装置の使用の利便性が改善され得る。
【００２９】
さらに、一方向制止要素の一方向ラチェット弾性タブと連結要素の一方向ラチェット歯付き凹部との係合のため、押し出し要素は、後方への移動が回避され、推進装置の押し出し要素が薬品カートリッジのピストンへ接触することを確保することができる。これにより、薬一服が正確に管理され得る。
【００３０】
多数の本発明の特徴及び利点が、本発明の詳細は構造及び機能と共に前述の説明において明らかにされたが、説明は例示に過ぎず、詳細に関し、特に部品の形状、大きさ及び配置に関し、添付される請求項が表現される文言の広い一般的な意味によって示される、本発明の原理の範囲内で変更されてもよい。
【符号の説明】
【００３１】
１      推進装置
２      薬品カートリッジ
２Ａ    ピストン
２Ｂ    後方開口
１０    押し出し要素
１１    ネジ付き押し出し部材
１１０  ネジ
１１１  前端
１１２  後端
１１３  溝
１２    押し出し板
１２１  貫通孔
２０    一方向制止要素
２１    環状体
２１０  内側孔
２１１  リブ
２２    一方向ラチェット弾性タブ
２２１  一方向ラチェット爪
３０    連結要素
３１    連結ベース
３１１  一方向ラチェット歯付き凹部
３１２  連結板
３１３  ネジ付き孔
３２    弾性フック
３３    係合部
３３１  係合孔
４０    押し出しロッド
４１    ネジ部
４２    前側部分
４２１  孔
４２２  係合ブロック
４３    後側部分
４４    前部チャンバ
４５    後部チャンバ
４６    接触板
４７    弾性ブロック
４８    貫通孔
５０    排出要素
５１    ベース板
５２    係合フック
５３    排出スタブ
５４    位置決めフランジ
６０    バネ
７０    ネジ付き環
７１    ネジ孔
８０    注入ロッド
８１    接触端
【図１】
2021508537.tif 000003
【図２】
2021508537.tif 000004
【図３】
2021508537.tif 000005
【図４】
2021508537.tif 000006
【図５】
2021508537.tif 000007
【図６】
2021508537.tif 000008
【図７】
2021508537.tif 000009
【図８】
2021508537.tif 000010
【図９】
2021508537.tif 000011
【図１０】
2021508537.tif 000012
【図１１】
2021508537.tif 000013
【図１２】
2021508537.tif 000014
【図１３】
2021508537.tif 000015
【国際調査報告】
2021508537.tif 000016
2021508537.tif 000017
2021508537.tif 000018
2021508537.tif 000019